(57)【要約】【課題】移動搬送体が移動中に現在位置に応じたスポット的な広告を行うことができると共に、当該移動搬送体における広告を行う権利を取り扱うことができる移動搬送体内広告送信方法、装置、プログラムおよび移動搬送体内広告受信方法、装置、プログラムを提供する。【解決手段】移動搬送体内に備えられている情報端末の表示部に表示される広告を送信する移動搬送体内広告送信装置３であって、広告を提供する広告提供側から送信される広告データを受信する広告データ受信手段７ｂと、受信した広告データを記憶する記憶部９と、地上デジタル放送により、前記移動搬送体に広告データを送信する広告データ送信手段７ｅとを備えた。【選択図】      図２
2004297446.tif 000002
【特許請求の範囲】
【請求項１】
乗客を搬送する移動搬送体内に備えられている情報端末の表示部に表示される広告を送信する移動搬送体内広告送信方法であって、
前記広告を提供する広告提供側から送信される広告データを受信する広告データ受信ステップと、
この広告データ受信ステップで受信した広告データを記憶する広告データ記憶ステップと、
地上デジタル放送により、前記移動搬送体に広告データを送信する広告データ送信ステップと、
を含むことを特徴とする移動搬送体内広告送信方法。
【請求項２】
前記移動搬送体から発信される信号を受信して当該移動搬送体の位置を把握する位置把握ステップと、
前記広告データを送信するタイミングが、前記位置把握ステップにおいて把握された移動搬送体の位置に基づいて制御される送信タイミング制御ステップと、を含むことを特徴とする請求項１に記載の移動搬送体内広告送信方法。
【請求項３】
乗客を搬送する移動搬送体内に備えられている情報端末の表示部に表示される広告を送信する移動搬送体内広告送信装置であって、
前記広告を提供する広告提供側から送信される広告データを受信する広告データ受信手段と、
この広告データ受信手段で受信した広告データを記憶する広告データ記憶手段と、
地上デジタル放送により、前記移動搬送体に広告データを送信する広告データ送信手段と、
を備えることを特徴とする移動搬送体内広告送信装置。
【請求項４】
前記移動搬送体から発信される信号を受信して当該移動搬送体の位置を把握する位置把握手段と、
前記広告データを送信するタイミングが、前記位置把握手段において把握された移動搬送体の位置に基づいて制御される送信タイミング制御手段と、
を備えることを特徴とする請求項３に記載の移動搬送体内広告送信装置。
【請求項５】
乗客を搬送する移動搬送体内に備えられている情報端末の表示部に表示される広告を送信する装置を、
前記広告を提供する広告提供側から送信される広告データを受信する広告データ受信手段、
この広告データ受信手段で受信した広告データを記憶する広告データ記憶手段、
地上デジタル放送により、前記移動搬送体に広告データを送信する広告データ送信手段、
として機能させることを特徴とする移動搬送体内広告送信プログラム。
【請求項６】
請求項５に記載の移動搬送体内広告送信プログラムにおいて、前記移動搬送体が発信する信号を受信して当該移動搬送体の位置を把握する位置把握手段、
前記広告データを送信するタイミングが、前記位置把握手段において把握された移動搬送体の位置に基づいて制御される送信タイミング制御手段、
を備えることを特徴とする移動搬送体内広告送信プログラム。
【請求項７】
地上デジタル放送により送信された広告データを受信し、乗客を搬送する移動搬送体内に備えられている情報端末の表示部に表示させる移動搬送体内広告受信方法であって、
送信側から地上デジタル放送により送信された前記広告データを受信する広告データ受信ステップと、
この広告データ受信ステップで受信した広告データを前記情報端末の表示部に表示させる広告データ表示ステップと、
を含むことを特徴とする移動搬送体内広告受信方法。
【請求項８】
地上デジタル放送により送信された広告データを受信し、乗客を搬送する移動搬送体内に備えられている情報端末の表示部に表示させる移動搬送体内広告受信装置であって、
送信側から地上デジタル放送により送信された前記広告データを受信する広告データ受信手段と、
この広告データ受信手段で受信した広告データを前記情報端末の表示部に表示させる広告データ表示手段と、
を備えることを特徴とする移動搬送体内広告受信装置。
【請求項９】
地上デジタル放送により送信された広告データを受信し、乗客を搬送する移動搬送体内に備えられている情報端末の表示部に表示させる装置を、
送信側から地上デジタル放送により送信された前記広告データを受信する広告データ受信手段、
この広告データ受信手段で受信した広告データを前記情報端末の表示部に表示させる広告データ表示手段、
として機能させることを特徴とする移動搬送体内広告受信プログラム。
【発明の詳細な説明】
【０００１】
【発明の属する技術分野】
本発明は、移動中の移動搬送体に地上デジタル波を利用して広告用の映像を送信または受信する移動搬送体内広告送信方法、移動搬送体内広告送信装置、移動搬送体内広告送信プログラムおよび移動搬送体内広告受信方法、移動搬送体内広告受信装置、移動搬送体内広告受信プログラムに関する。
【０００２】
【従来の技術】
従来、移動している移動搬送体に対して、無線による電波で、映像等による情報を送信すると、電波の受信が不安定になり、映像に雑音が混入したり、映像の一部が途切れたり、歪んでしまったりして、非常に見づらくなってしまっていた。このため、移動している移動搬送体、例えば、走行中の電車に対し、映像等によるナイター中継等のスポーツに関する情報や、商品に関する広告（広告データ）を送信する移動搬送体通信システムでは、駅等で停車中に映像等による情報（映像データ）を蓄えて、走行中に蓄えた映像データを繰り返し送信する手法が採用されていた。
【０００３】
また、移動搬送体（車両等）に、無線による電波で、情報送信サービスを行っている情報サービスステーションから様々な情報を送信するものとして、例えば、デジタル放送システム（特許文献１参照）が開示されている。
【０００４】
【特許文献１】
特開２００１−５３６９９号公報（特許請求の範囲、第１図）
【０００５】
【発明が解決しようとする課題】
しかしながら、従来の移動搬送体通信システムでは、移動搬送体が移動中に、移動搬送体の現在場所（現在位置）に応じた、スポット的な広告をすることは困難であるという問題がある。また、移動搬送体（特に、公共の交通機関である電車、バス等）の車内において、即時性のある広告を行う権利を取り扱うという発想がなかった。
【０００６】
本発明の目的は前記した従来の技術が有する課題を解消し、移動搬送体が移動中に現在位置に応じたスポット的な広告を行うことができると共に、当該移動搬送体における広告を行う権利を取り扱うことができる移動搬送体内広告送信方法、移動搬送体内広告送信装置、移動搬送体内広告送信プログラムおよび移動搬送体内広告受信方法、移動搬送体内広告受信装置、移動搬送体内広告受信プログラムを提供することにある。
【０００７】
【課題を解決するための手段】
前記した目的を達成するため、以下に示す構成とした。
請求項１記載の移動搬送体内広告送信方法は、乗客を搬送する移動搬送体内に備えられている情報端末の表示部に表示される広告を送信する移動搬送体内広告送信方法であって、前記広告を提供する広告提供側から送信される広告データを受信する広告データ受信ステップと、この広告データ受信ステップで受信した広告データを記憶する広告データ記憶ステップと、地上デジタル放送により、前記移動搬送体に広告データを送信する広告データ送信ステップと、を含むことを特徴とする。
【０００８】
この方法によれば、まず、広告データ受信ステップにおいて、広告提供側から送信される広告データが受信される。広告提供側は、商品を製造しているメーカであったり、広告の企画から広告データ（例えば、ＣＭ）の制作まで請け負う広告代理店であったりする。そして、広告提供側から提供された広告データは、広告データ記憶ステップにおいて記憶される。その後、広告データ送信ステップにおいて、移動搬送体に地上デジタル放送により、広告データが送信される。なお、広告データは、映像（映像データ）を含むものである。また、地上デジタル放送は移動中の移動搬送体において電波の受信が安定して行える特性を有する（移動搬送体の受信にも強い）ものである。
【０００９】
請求項２記載の移動搬送体内広告送信方法は、請求項１に記載の移動搬送体内広告送信方法において、前記移動搬送体から発信される信号を受信して当該移動搬送体の位置を把握する位置把握ステップと、前記広告データを送信するタイミングが、前記位置把握ステップにおいて把握された移動搬送体の位置に基づいて制御される送信タイミング制御ステップと、を含むことを特徴とする。
【００１０】
この方法によれば、まず、位置把握ステップにおいて、移動搬送体から送信される信号が受信され、この受信された信号（受信信号）に基づいて、移動搬送体の位置が把握される。そして、送信タイミング制御ステップにおいて、把握された移動搬送体の位置に基づいて、広告データが送信されるタイミングが制御される。
【００１１】
請求項３記載の移動搬送体内広告送信装置は、乗客を搬送する移動搬送体内に備えられている情報端末の表示部に表示される広告を送信する移動搬送体内広告送信装置であって、前記広告を提供する広告提供側から送信される広告データを受信する広告データ受信手段と、この広告データ受信手段で受信した広告データを記憶する広告データ記憶手段と、地上デジタル放送により、前記移動搬送体に広告データを送信する広告データ送信手段と、を備えることを特徴とする。
【００１２】
かかる構成によれば、広告データ受信手段で、広告提供側から送信される広告データが受信される。広告提供側から提供された広告データは、広告データ記憶手段で記憶される。その後、広告データ送信手段で、移動搬送体に地上デジタル放送により、広告データが送信される。なお、地上デジタル放送は移動中の移動搬送体において電波の受信が安定して行える特性を有する（移動搬送体の受信にも強い）ものである。
【００１３】
請求項４記載の移動搬送体内広告送信装置は、請求項３に記載の移動搬送体内広告送信装置において、前記移動搬送体から発信される信号を受信して当該移動搬送体の位置を把握する位置把握手段と、前記広告データを送信するタイミングが、前記位置把握手段において把握された移動搬送体の位置に基づいて制御される送信タイミング制御手段と、を備えることを特徴とする。
【００１４】
かかる構成によれば、位置把握手段で、移動搬送体から送信される信号が受信され、この受信された信号（受信信号）に基づいて、移動搬送体の位置が把握される。そして、送信タイミング制御手段で、把握された移動搬送体の位置に基づいて、広告データが送信されるタイミングが制御される。
【００１５】
請求項５記載の移動搬送体内広告送信プログラムは、乗客を搬送する移動搬送体内に備えられている情報端末の表示部に表示される広告を送信する装置を、以下に示す手段として機能させることを特徴とする。当該装置を機能させる手段は、前記広告を提供する広告提供側から送信される広告データを受信する広告データ受信手段、この広告データ受信手段で受信した広告データを記憶する広告データ記憶手段、地上デジタル放送により、前記移動搬送体に広告データを送信する広告データ送信手段、である。
【００１６】
かかる構成によれば、広告データ受信手段で、広告提供側から送信される広告データが受信される。広告提供側から提供された広告データは、広告データ記憶手段で記憶される。その後、広告データ送信手段で、移動搬送体に地上デジタル放送により、広告データが送信される。なお、地上デジタル放送は移動中の移動搬送体において電波の受信が安定して行える特性を有する（移動搬送体の受信にも強い）ものである。
【００１７】
請求項６記載の移動搬送体内広告送信プログラムは、請求項５に記載の移動搬送体内広告送信プログラムにおいて、前記移動搬送体が発信する信号を受信して当該移動搬送体の位置を把握する位置把握手段、前記広告データを送信するタイミングが、前記位置把握手段において把握された移動搬送体の位置に基づいて制御される送信タイミング制御手段、を備えることを特徴とする。
【００１８】
かかる構成によれば、位置把握手段で、移動搬送体から送信される信号が受信され、この受信された信号（受信信号）に基づいて、移動搬送体の位置が把握される。そして、送信タイミング制御手段で、把握された移動搬送体の位置に基づいて、広告データが送信されるタイミングが制御される。
【００１９】
請求項７記載の移動搬送体内広告受信方法は、地上デジタル放送により送信された広告データを受信し、乗客を搬送する移動搬送体内に備えられている情報端末の表示部に表示させる移動搬送体内広告受信方法であって、送信側から地上デジタル放送により送信された前記広告データを受信する広告データ受信ステップと、この広告データ受信ステップで受信した広告データを前記情報端末の表示部に表示させる広告データ表示ステップと、を含むことを特徴とする。
【００２０】
この方法によれば、まず、広告データ受信ステップにおいて、送信側から地上デジタル放送により送信された広告データが受信される。この場合、移動搬送体が停止していても移動していても地上デジタル放送の電波受信特性により広告データ（映像データ）が安定して（乱れることなく）受信される。そして、受信された広告データが広告データ表示ステップにおいて、移動搬送体内に備えられている情報端末の表示部に表示される。なお、移動搬送体には、例えば、一般的な公共の交通機関、電車やバスが挙げられる。
【００２１】
請求項８記載の移動搬送体内広告受信装置は、地上デジタル放送により送信された広告データを受信し、乗客を搬送する移動搬送体内に備えられている情報端末の表示部に表示させる移動搬送体内広告受信装置であって、送信側から地上デジタル放送により送信された前記広告データを受信する広告データ受信手段と、この広告データ受信手段で受信した広告データを前記情報端末の表示部に表示させる広告データ表示手段と、を備えることを特徴とする。
【００２２】
かかる構成によれば、広告データ受信手段で、送信側から地上デジタル放送により送信された広告データが受信される。この場合、移動搬送体が停止していても移動していても地上デジタル放送の電波受信特性により広告データ（映像データ）が安定して（乱れることなく）受信される。そして、受信された広告データが広告データ表示手段で、移動搬送体内に備えられている情報端末の表示部に表示される。
【００２３】
請求項９記載の移動搬送体内広告受信プログラムは、地上デジタル放送により送信された広告データを受信し、乗客を搬送する移動搬送体内に備えられている情報端末の表示部に表示させる装置を、以下に示す手段として機能させることを特徴とする。当該装置を機能させる手段は、送信側から地上デジタル放送により送信された前記広告データを受信する広告データ受信手段、この広告データ受信手段で受信した広告データを前記情報端末の表示部に表示させる広告データ表示手段、である。
【００２４】
かかる構成によれば、広告データ受信手段で、送信側から地上デジタル放送により送信された広告データが受信される。この場合、移動搬送体が停止していても移動していても地上デジタル放送の電波受信特性により広告データ（映像データ）が安定して（乱れることなく）受信される。そして、受信された広告データが広告データ表示手段で、移動搬送体内に備えられている情報端末の表示部に表示される。
【００２５】
【発明の実施の形態】
以下、本発明の一実施形態を図面に基づいて詳細に説明する。
（移動搬送体内広告送受信システムの概要）
まず、図１を参照して、移動搬送体内広告送受信システムの概要を説明する。この移動搬送体内広告送受信システムにおいて、移動搬送体は電車であり、移動搬送体内広告送受信システムでは、移動搬送体である電車が路線を通過する際に、電車の車窓から見ることができる建物に関する広告が、電車内の表示画面に表示されるものである。従来の蓄積型のシステム（移動搬送体通信システム）に比べ、例えば、あるデパートにおける特売品の広告について、リアルタイムで、デパートの売り場内の残りの特売品の映像を、電車内のお客に伝えることができる等、即時性がある。つまり、この移動搬送体内広告送受信システムでは、情報（広告データ）の伝搬媒体に地上デジタル放送を利用しているので、電車が移動中でも、逐次、商品等の鮮明な映像を電車内に伝えることができる。
【００２６】
地上デジタル放送は、この実施の形態では、地上デジタルテレビ放送（ＤＴＴＢ［Ｄｉｇｉｔａｌ  Ｔｅｒｒｅｓｔｒｉａｌ  Ｔｅｌｅｖｉｓｉｏｎ  Ｂｒｏａｄｃａｓｔｉｎｇ］）の技術を利用しており、ＤＴＴＢは、高能率符号化技術によって、従来のアナログテレビ放送の１チャンネル分の周波数帯域で、従来のアナログテレビ放送と同程度の品質のテレビ番組を複数提供できる共に、静止画、文字等のデータ放送にもできる等、従来のアナログテレビ放送方式に比べて、多様で、しかも安定した移動受信を可能にするものである。
【００２７】
（移動搬送体内広告送受信システムの構成［移動搬送体内広告送信装置の構成］）
次に、図２を参照して、移動搬送体内広告送受信システムの構成を説明する。移動搬送体内広告送受信システムは、移動搬送体内広告送信装置３と、移動搬送体内に設置される移動搬送体内広告受信装置５とによって構成されている。
【００２８】
移動搬送体内広告送信装置３は、移動搬送体を運営する事業者や、この事業者から移動搬送体内における広告を行う権利を授権した（買い取った）放送事業者等が管理制御して、広告提供側（以下、広告主）から映像等を含んだ広告データを受信し、電車等の移動搬送体に送信するもので、主制御部７と、記憶部９と、通信網送受信部１１と、電波送受信部１３とを備えている。
【００２９】
主制御部７は、移動搬送体内広告送信装置３の制御を司るもので、広告主登録手段７ａと、広告データ受信手段７ｂと、移動搬送体位置把握手段７ｃと、送信タイミング制御手段７ｄと、広告データ送信手段７ｅと、広告料徴収手段７ｆとを備えている。これら７ａ〜７ｆは、主制御部７に展開しているプログラムである。
【００３０】
広告主登録手段７ａは、移動搬送体内に広告データを流したい広告主を、広告データを流す前に事前に登録するためのものである。この広告主登録手段７ａは、通信回線網を介して、インターネット上にウェブサイトを開設しており、広告データを流したい広告主がこのウェブサイトにアクセスして、所定の情報（広告主に関する情報）を入力することで、常時、登録できるように設定されているものである。この広告主登録手段７ａは、広告主から送信された広告主に関する情報（広告主名（企業名）、広告主の所在地、広告主の事業規模、広告主が取り扱っている商品、広告主の電子メールアドレス）を記憶部７に記憶するものである。特に、広告主の所在地は、移動搬送体内で広告データを流すタイミングを制御する際に重要となる（図２では、「広告主位置データ」として特記した）。
【００３１】
また、この広告主登録手段７ａでは、広告データを移動搬送体（移動搬送体内広告受信装置５）に送信する時間帯が登録される。この広告主登録手段７ａで、広告データが移動搬送体に送信される時間帯によって、広告料が異なるように設定される。例えば、移動搬送体が電車である場合には、電車に乗るお客が多い時間帯、すなわち、平日７時から９時までおよび１７時から１９時までの間が最も広告料が高いといった具合に設定される。
【００３２】
広告データ受信手段７ｂは、広告主登録手段７ａで登録をすました広告主が制作した（送信してきた）広告データを受信するものである。広告データは、大きく分けて、映像と音声と文字データ（テキストデータ）とに大別することができ、以下、映像広告データ、音声広告データとする。この広告データ受信手段７ａで、広告データと広告主位置データとが関連付けられる。この広告主位置データが広告データと関連付けられることで、広告データを移動搬送体内に流す（送信する）タイミングが制御される。
【００３３】
移動搬送体位置把握手段７ｃは、広告データを受信する受信側すなわち、移動搬送体内広告受信装置５が設置されている移動搬送体の現在位置を把握するものであり、移動搬送体から送信された電波（発信信号）に基づいて、移動搬送体の現在位置が誤差数十メートルの範囲で検出される（把握される）。
【００３４】
送信タイミング制御手段７ｄは、移動搬送体位置把握手段７ｃで把握された移動搬送体の現在位置に基づいて、広告データを送信するタイミングを制御するものである。また、この送信タイミング制御手段７ｄは、広告データを送信する時間帯を制御するものである。この送信タイミング制御手段７ｄによって、広告データが定期的（定時間的）に送信する、或いは集中して（一定の時間に繰り返して）送信するといったように広告データのタイミングが制御される。
【００３５】
広告データ送信手段７ｅは、送信タイミング制御手段７ｄによってタイミングが制御された広告データを移動搬送体（受信側の移動搬送体内広告受信装置５）に送信するためのものである。この広告データ送信手段７ｅは、広告データを高能率に符号化するものである。
【００３６】
広告料徴収手段７ｆは、移動搬送体（受信側の移動搬送体内広告受信装置５）に送信した広告データの送信した時間帯、データ量に応じて、広告料を算出し、広告主に対して広告料の請求を行って、広告料を徴収するためのものである。つまり、広告料徴収手段７ｆは、広告主登録手段７ａで登録された広告主の電子メールアドレスに請求書を、通信回線網を通じて送信すると共に、支払われた広告料に関して当該装置３のユーザが口座等を確認後、チェックする機能を有するものである。
【００３７】
記憶部９は、大容量のハードディスク、磁気テープ等によって構成されるもので、広告主に関する情報（図２では広告主位置データ）および広告データを記憶するものである。
【００３８】
通信網送受信部１１は、通信回線網を介して、主に広告主との情報の送受信に使用されるもので、広告主に関する情報および広告データを受信すると共に、移動搬送体内広告送信装置３から広告主に対して、広告料の請求書を送信するためのものである。
【００３９】
電波送受信部１３は、送受信用のアンテナ１３ａ、増幅器等から構成されるもので、移動搬送体内に設置されている移動搬送体内広告受信装置５に広告データを地上デジタル放送波（地上デジタル放送データ）に変調して送信すると共に、移動搬送体内広告受信装置５から送信された、移動搬送体の現在位置を通知する電波（発信信号）を受信するためのものである。
【００４０】
なお、この電波送受信部１３は、この実施の形態では、広告データを地上デジタル放送波（地上デジタル放送データ）に変調して送信するものであるが、例えば、この電波送受信部１３の送受信用のアンテナ１３ａからは、携帯電話、ＰＨＳ等の無線通信端末や、無線ＬＡＮ端末に対応した電波を送信可能に構成してもよい。
【００４１】
この移動搬送体内広告送信装置３によれば、広告データ受信手段７ｂで、広告提供側（広告主）から送信される広告データが受信される。広告提供側から提供された広告データは、記憶部９で記憶される。その後、広告データ送信手段７ｅで、移動搬送体に地上デジタル放送により、広告データが送信される。このため、移動搬送体が移動中に広告データを送信して、広告を行うことができる。特に広告データが映像広告データの場合、雑音の影響を受けることなく、鮮明な映像（映像広告データ）を移動搬送体に乗車している搭乗者に提供することができる。
【００４２】
また、電波送受信部１３で、移動搬送体（移動搬送体内広告受信装置５）から送信される信号が受信され、移動搬送体位置把握手段７ｃで、この受信された信号（受信信号）に基づいて、移動搬送体の位置が把握される。そして、送信タイミング制御手段７ｄで、把握された移動搬送体の位置に基づいて、広告データが送信されるタイミングが制御される。このため、移動搬送体の現在位置に応じたスポット的な広告を行うことができる。
【００４３】
さらに、移動搬送体内広告送信装置３を使用することによって、当該装置３の管理者（事業者）は、移動搬送体内の広告を行う権利を、インターネットに接続されている複数の企業や広告会社に売ることができ、広告料を徴収することができる。
【００４４】
（移動搬送体内広告受信装置の構成）
移動搬送体内広告受信装置５は、移動搬送体に設置され、送信側の移動搬送体内広告送信装置３から送信された広告データを移動搬送体内にいるお客（搭乗者）に表示するためのもので、電波送受信部１５と、移動搬送体位置計測装部１７と、表示部１９（移動搬送体内に複数）とを備えている。なお、電波送受信部１５と、移動搬送体位置計測部１７と、表示部１９とは移動搬送体内に別々に設置されており、伝送ケーブルで広告データ等の情報の送受信が可能なように構成されている。
【００４５】
電波送受信部１５は、送受信用のアンテナ１５ａ、増幅器等から構成されるもので、移動搬送体内広告送信装置３から送信された広告データ（地上デジタル放送データ）を受信し復調すると共に、復号するものである。また、この電波送受信部１５は、移動搬送体位置計測部１７によって計測された移動搬送体の現在位置を電波（発信信号）として送信側の移動搬送体内広告送信装置３に送信するためのものである。
【００４６】
なお、この電波送受信部１５は、この実施の形態では、地上デジタル放送波（地上デジタル放送データ）を受信し復調して、復号するものであるが、例えば、この電波送受信部１５の送受信用のアンテナ１５ａでは、携帯電話、ＰＨＳ等の無線通信端末や、無線ＬＡＮ端末に対応した電波を受信可能に構成してもよい。
【００４７】
移動搬送体位置計測部１７は、移動搬送体の現在位置を計測するためのもので、ＧＰＳ（Ｇｌｏｂａｌ  Ｐｏｓｉｔｉｏｎｎｉｎｇ  Ｓｙｓｔｅｍ；全地球測位システム）機能を備えている。このＧＰＳによって、移動搬送体の現在位置（地表上の位置を示す位置データであり、例えば、経度および緯度で表される）が計測される。
【００４８】
表示部１９は、電波送受信部１５で受信して復調し復号した広告データを表示するためのものであり、移動搬送体の中に複数台設置されているものである。なお、この表示部１９が特許請求の範囲に記載した情報端末に相当するものである。
【００４９】
この移動搬送体内広告受信装置５によれば、電波送受信部１５で、送信側から地上デジタル放送により送信された広告データが受信される。そして、受信された広告データが表示部１９に表示される。このため、移動搬送体に乗車している搭乗者は、移動搬送体が移動中に受信された、リアルタイムの広告データを視聴することができる。また、移動搬送体に乗車している搭乗者は、雑音の影響を受けることなく、鮮明な映像（映像広告データ）およびクリアな音声（音声広告データ）を視聴できる。
【００５０】
（移動搬送体内広告送受信システムの動作）
次に、図３に示すシーケンスチャートを参照して、移動搬送体内広告送受信システムの動作を説明する（適宜図２参照）。
まず、移動搬送体内広告送信装置３が、広告主登録手段７ａで開設されるウェブサイトに広告募集の案内が掲示される（Ａ１）。この広告募集の案内は、移動搬送体の名称（電車、バス等）、広告データを送信する時間帯、広告データを送信する回数（指定可能）等が一覧表示されているもので、広告主は、このウェブサイトにアクセスして（問い合わせして）、この広告募集の案内の一覧表に必要な情報（広告主に関する情報も含む）を入力する（Ｂ１）。すると、広告主登録手段７ａによって、移動搬送体内広告送信装置３の記憶部９に広告主が登録される（Ａ２）。
【００５１】
また、広告主は、広告データを制作し、或いは、広告代理店等に制作してもらって、移動搬送体内広告送信装置３に送信する（Ｂ２）。移動搬送体内広告送信装置３の通信網送受信部１１を介して広告データ受信手段７ｂによって広告データが受信される（Ａ３）。そして、受信された広告データが送信時間になるまで記憶部９に記憶される。
【００５２】
その後、広告データを送信する対象である移動搬送体の運転が開始され、当該装置に設置されている移動搬送体内広告受信装置５では、移動搬送体位置計測部１７によって位置が計測され、計測された位置情報（発信信号）が移動搬送体内広告送信装置３に送信される（Ｃ１）。すると、移動搬送体内広告送信装置３の電波送受信部１３によって発信信号が受信され、主制御部７の移動搬送体位置把握手段７ｃによって、移動搬送体の現在位置が把握される（Ａ４）。
【００５３】
そして、送信タイミング制御手段７ｄで、移動搬送体位置把握手段７ｃによって把握された移動搬送体の現在位置と、広告データに関連付けられている広告主位置データとがマッチングした場合に、広告データの送信タイミングが制御され（Ａ５）、広告データ送信手段７ｅで広告データが符号化され、続いて電波送受信部１３で変調され広告データの送信が行われる（Ａ６）。
【００５４】
すると、移動搬送体に設置されている移動搬送体内広告受信装置５の電波送受信部１５で、移動搬送体内広告送信装置３から送信された広告データ（地上デジタル放送データ）が受信される。続いて、この電波送受信部１５で、広告データ（地上デジタル放送データ）が復調されて、さらに復号されて表示部１９に広告データが表示される（Ｃ２）。
【００５５】
また、広告データを送信した移動搬送体内広告送信装置３では、広告料徴収手段７ｆによって、広告主に対して、広告料の請求がなされ（Ａ７）、広告主は、通信網を介して受信した電子メール（広告料請求書）に基づいて、広告料を支払う（Ｂ３）。
【００５６】
以上、一実施形態に基づいて本発明を説明したが、本発明はこれに限定されるものではない。
例えば、移動搬送体内広告送信装置３または移動搬送体内広告受信装置５の各構成の処理を一つずつの工程（過程）と捉え、移動搬送体内広告送信方法または移動搬送体内広告受信方法とみなすことや、移動搬送体内広告送信装置３または移動搬送体内広告受信装置５の各構成の処理を汎用的なコンピュータ言語で記述した移動搬送体内広告送信プログラムまたは移動搬送体内広告受信プログラムとみなすことは可能である。これらの場合、移動搬送体内広告送信装置３または移動搬送体内広告受信装置５と同様の効果を得ることができる。
【００５７】
また、移動搬送体が車両等であって、不定期なルートを通過する場合であっても、当該車両に移動搬送体内広告受信装置５を搭載し、移動搬送体内広告送信装置３から送信された広告データ（地上デジタル放送データ）を受信することは可能である。この場合、例えば、広告データ（地上デジタル放送データ）を受信する移動搬送体内広告受信装置５が搭載されている車両の現在位置を、移動体位置計測部１７で正確に知ることができるので（位置データを取得）、移動搬送体内広告送信装置３から送信される広告データ（地上デジタル放送データ）に予め位置データを多重しておくこと（広告データと位置データとが関連付けられている）で、受信側の移動搬送体内広告受信装置５において、取得した位置データと、広告データに多重されている位置データとのマッチングを取ることにより、車両の現在位置に応じた広告データを表示部１９に表示させることができる。
【００５８】
【発明の効果】
請求項１、３、５記載の発明によれば、広告提供側から送信される広告データが受信され記憶されて、移動搬送体に地上デジタル放送により、広告データが送信される。このため、移動搬送体が移動中に広告データを送信して、広告を行うことができる。特に広告データが映像広告データの場合、雑音の影響を受けることなく、鮮明な映像（映像広告データ）を移動搬送体に乗車している搭乗者に提供することができる。
【００５９】
請求項２、４、６記載の発明によれば、移動搬送体から送信される信号が受信され、この受信された信号（受信信号）に基づいて、移動搬送体の位置が把握される。そして、把握された移動搬送体の位置に基づいて、広告データが送信されるタイミングが制御される。このため、移動搬送体の現在位置に応じたスポット的な広告を行うことができる。
【００６０】
請求項７、８、９記載の発明によれば、送信側から地上デジタル放送により送信された広告データが受信されて、表示される。このため、移動搬送体に乗車している搭乗者は、移動搬送体が移動中に受信された、リアルタイムの広告データを視聴することができる。また、移動搬送体に乗車している搭乗者は、雑音の影響を受けることなく、鮮明な映像（映像広告データ）およびクリアな音声（音声広告データ）を視聴できる。
【図面の簡単な説明】
【図１】本発明による一実施の形態の移動搬送体内広告送受信システムの概略を示した図である。
【図２】図１に示した移動搬送体内広告送受信システムのブロック図である。
【図３】図２に示した移動搬送体内広告送受信システムの動作を説明したシーケンスチャートである。
【符号の説明】
１          移動搬送体内広告送受信システム
３          移動搬送体内広告送信装置
５          移動搬送体内広告受信装置
７          主制御部
７ａ        広告主登録手段
７ｂ        広告データ受信手段
７ｃ        移動搬送体位置把握手段
７ｄ        送信タイミング制御手段
７ｅ        広告データ送信手段
７ｆ        広告料徴収手段
９          記憶部
１１        通信網送受信部
１３、１５  電波送受信部
１７        移動搬送体位置計測部
１９        表示部
【図１】
2004297446.tif 000003
【図２】
2004297446.tif 000004
【図３】
2004297446.tif 000005